(57)【要約】【課題】メダル計数機は、安価な構成で、大量のメダルを計数可能とするとともに、極力メンテナンス省力化と省スペース化する。【解決手段】メダル計数機は、メダル整列部とメダル変位機構と流下通路と計数手段とで構成される計数ユニットを、横並びに複数配置して構成される。計数ユニットに受け入れられたメダルは、メダル整列部によって１枚毎に整列され、その後、メダル変位機構によって略縦立状態に変位され、その後、流下通路によって転動しながら奥側に導かれる。メダルは、メダル整列部から流下通路の下流端迄の間に、計数手段により計数される。メダル計数機では、このような計数ユニットが横並びに複数配置され、メダルを各計数ユニットに分配できるようになっている。【選択図】図１
2013048706.tif 000002
【特許請求の範囲】
【請求項１】
受け入れたメダルを１枚毎に整列させるメダル整列部と、
前記メダル整列部によって整列させたメダルを略縦立状態に変位させるメダル変位機構と、
前記メダル変位機構によって略縦立状態に変位させたメダルを転動させながら奥側に導く流下通路と、
前記メダル整列部から前記流下通路の下流端迄の間に１乃至複数配置され、メダルを計数する計数手段と、
で構成される計数ユニットを横並びに複数配置し、受け入れたメダルを各計数ユニットに分配可能に構成することを特徴とするメダル計数機。
【発明の詳細な説明】
【技術分野】
【０００１】
本発明は、遊技場内でスロットマシンなどの遊技機が列設されてなる遊技機島の端部に配備され、遊技機に用いられる遊技媒体（メダル等）の計数を行う、島端のメダル計数機に関する。
【背景技術】
【０００２】
遊技場には、例えば、複数のスロットマシンを横方向に並べ、その背面を向きあわせて２列に配置することにより、スロット島と呼ばれる遊技機島が形成されている。この遊技機島は、通常、遊技場内の複数箇所に並べて配置される。
【０００３】
遊技機島には、島端メダル計数機が設けられ、特許文献１の図１に示すホッパ２の底部に設けられた回転円板を回転させて、ホッパ２から投入されたメダルを遠心力により外周に寄せ、外周の一端に設けられた排出口より、メダル通路１８を介して、途中に設けた金属体を検知する近接センサ等で計数する（特許文献１）。
【０００４】
一方、硬貨等は真偽判定する際、搬送されるメダルの表面を撮影して、画像が真か偽かを判定することは一般的な技術である。このような真偽判定したメダルを、例えば、特許文献１の摺動板２２を設け、偽であれば、摺動板２２を引いてメダル通路１８の形成をやめて通過するメダルを下方に落下せしめ、真であれば摺動板２２を突き出してメダル通路１８を形成して意図した先へ送出せしめることは容易である。
【先行技術文献】
【特許文献】
【０００５】
【特許文献１】特開平０６−１２４３７７号公報
【発明の概要】
【発明が解決しようとする課題】
【０００６】
しかしながら、投入された大量のメダルをメダル通路１８に送出する為には、強力な駆動力を有する高価なモータを必要とし、かつ横倒しされたメダルを水平搬送する際には、特許文献１の図６に記載したようなベルト搬送装置を必要とし、さらにベルト搬送装置の分高価になる。またベルト搬送装置は、テンションの調整、ベルトの交換等の定期的メンテナンスを必要とする。そこでベルト搬送装置を除く為、急傾斜のメダル通路としてメダルを滑落させる場合、島端計数機と遊技機島内の搬送設備に高低差が必要となり、相当な高い場所に島端計数機を設けなければ滑落させて運べなくなるという問題が発生する。
【０００７】
本発明のメダル計数機は、安価な構成で、大量のメダルを計数可能とするとともに、極力メンテナンス省力化と省スペース化することを目的とするものである。
【課題を解決するための手段】
【０００８】
本発明のメダル計数機は、受け入れたメダルを１枚毎に整列させるメダル整列部と、前記メダル整列部によって整列させたメダルを略縦立状態に変位させるメダル変位機構と、前記メダル変位機構によって略縦立状態に変位させたメダルを転動させながら奥側に導く流下通路と、前記メダル整列部から前記流下通路の下流端迄の間に１乃至複数配置され、メダルを計数する計数手段と、で構成される計数ユニットを横並びに複数配置し、受け入れたメダルを各計数ユニットに分配可能に構成することを特徴とする。
【０００９】
ここで、計数ユニットを構成しているメダル整列部とメダル変位機構と流下通路と計数手段とは、夫々別体部品で構成されてもよいし、組み付けて一体にされてもよい。
【発明の効果】
【００１０】
本発明によれば、計数ユニットに受け入れられたメダルは、メダル整列部によって１枚毎に整列され、その後、メダル変位機構によって略縦立状態に変位され、その後、流下通路によって転動ながら奥側に導かれる。メダルは、メダル整列部から流下通路の下流端迄の間に、計数手段により計数される。メダル計数機では、このような計数ユニットが横並びに複数配置され、メダルを各計数ユニットに分配できるようになっている。したがって、安価な構成で、大量のメダルを計数可能とするとともに、極力メンテナンス省力化と省スペース化とが実現される。
【図面の簡単な説明】
【００１１】
【図１】第一の実施の形態及び第六の実施の形態における、メダル計数機の斜視図である。
【図２】蓋材の斜視図である。
【図３】蓋材の平面図である。
【図４】第一の実施の形態における、計数ユニットの斜視図である。
【図５】第一の実施の形態における、計数ユニットの平面図である。
【図６】第一の実施の形態における、計数ユニットの側面図である。
【図７】第一の実施の形態における、搬送装置の側面図である。
【図８】第一の実施の形態における、ゲート部の平面図である。
【図９】第一の実施の形態における、傾斜誘導路の斜視図である。
【図１０】第一の実施の形態における、傾斜誘導路を正面側から見た図である。
【図１１】第一の実施の形態における、図１０の一部の拡大図である。
【図１２】第一の実施の形態における、傾斜誘導路の側面図である。
【図１３】第一の実施の形態における、メダルが使用できるものであるか否かを判定する処理の流れを示すフローチャートである。
【図１４】第一の実施の形態における、メダル排除機構が駆動されていない状態での図６のＢ−Ｂ線断面を示す図である。
【図１５】第一の実施の形態における、メダル排除機構が駆動されている状態での図６のＢ−Ｂ線断面を示す図である。
【図１６】第一の実施の形態における、メダル排除機構の下端側支持部を上方から見た図である。
【図１７】第二の実施の形態における、ハウジングが広げられた状態でのメダル計数機の斜視図である。
【図１８】第二の実施の形態における、ハウジングが狭められた状態でのメダル計数機の底面図である。
【図１９】第二の実施の形態における、ハウジングが広げられた状態でのメダル計数機の底面図である。
【図２０】第二の実施の形態における、ハウジングが狭められた状態での図１８のＥ−Ｅ線端面図である。
【図２１】第三の実施の形態における、表示パネルの表示内容を示す模式図である。
【図２２】第三の実施の形態における、制御部が行う処理の流れを示すフローチャートである。
【図２３】第四の実施の形態における、制御部が行う処理の流れを示すフローチャートである。
【図２４】第四の実施の形態における、警告処理の一例を示す模式図である。
【図２５】第五の実施の形態における、計数ユニットの側面図である。
【図２６】第五の実施の形態における、種別振分部の平面図である。
【図２７】第五の実施の形態における、制御部が行う処理の流れを示すフローチャートである。
【図２８】第八の実施の形態における、制御部が行う処理の流れを示すフローチャートである。
【図２９】第八の実施の形態における、警告処理の一例を示す模式図である。
【図３０】第九の実施の形態における、制御部が行う処理の流れを示すフローチャートである。
【図３１】第九の実施の形態における、制御部が行う処理の流れを示すフローチャートである。
【図３２】第十の実施の形態における、蓋材の斜視図である。
【発明を実施するための形態】
【００１２】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。また実施の各形態で具体的に説明している部分の組合せばかりではなく、特に組合せに支障が生じなければ、実施の形態同士を部分的に組合せることも可能である。
【００１３】
実施の一形態を、図１ないし図１６に基づいて説明する。説明の便宜上、本実施の形態を第一の実施の形態と呼ぶ。
【００１４】
図１は、メダル計数機５０の斜視図である。図２は、蓋材５２の斜視図である。図３は、蓋材５２の平面図である。図１では、蓋材５２が一点鎖線で示されている。遊技場に設けられるスロット島（遊技機島）は、遊技機としてのスロットマシン（図示せず）と台間機（図示せず）とが複数交互に列状に横並びして構成される。本実施の形態では、一台のスロットマシンに対し一台の割合で台間機を備える。なお、全てのスロットマシンに対して台間機が設けられなくてもよく、例えば、一部のスロットマシンについては台間機が設けられなくてもよい。台間機は、スロットマシンで遊技に用いられるメダル（遊技媒体）を計数する機能を有する。
【００１５】
スロット島やその近傍には、遊技媒体計数機としてのメダル計数機５０が設置されている。メダル計数機５０は、遊技客が獲得したメダルＭを計数する計数機能と、メダルＭを返却する返却機能とを有する機械である。メダル計数機５０は、箱型のハウジング５１と、蓋材５２と、表示パネル２１と、カード挿入口２２と、再計数ボタン２３と、計数開始／終了ボタン２５と、カード処理機２８と、タッチパネルセンサ２１Ａと、制御部６０と、五つの計数ユニット１００とを備える。ハウジング５１の正面と、この正面に繋がる上面での正面寄りの部分は、開口している。この開口のうち、ハウジング５１の正面側の上縁からメダル投入部３０のカバー体１１１（図４も参照）の下縁までの部分は、前カバー５２Ｆに覆われる。前カバー５２Ｆは、メダル計数機５０の左側から横方向にスライドされて、メダル計数機５０の右端に設けられる爪体５２Ｇに引っ掛けられた状態で、鍵材（図示せず）によってハウジング５１に固定される。前カバー５２Ｆは、計数ユニット１００のメンテナンス等の際に取り外される。
【００１６】
蓋材５２は、奥側に位置する平坦部５２Ｈと、平坦部５２Ｈよりも手前側に位置する傾斜部５２Ｊと、傾斜部５２Ｊよりも手前で開口しメダル投入部３０のカバー体１１１の上方に位置付けられる開口部５２Ｋと、平坦部５２Ｈと傾斜部５２Ｊと開口部５２Ｋとの外周から上方に立設する壁部５２Ｌとを有し、ホッパ状をなす。蓋材５２の上方からメダルＭが投入されると、メダルＭは傾斜部５２Ｊを滑り落ち、開口部５２Ｋを通過して、横並びする計数ユニット１００のカバー体１１１内に落下して、搬送装置１２０の搬送ベルト１２２に到達する。
【００１７】
五つの計数ユニット１００は、横並びし、ハウジング５１に収納され、ハウジング５１の開口部分で露出している。メダル計数機５０では、蓋材５２が、五つの計数ユニット１００の上方の箇所でハウジング５１に着脱自在に取付けられ、ハウジング５１の開口部分の一部を閉じる。蓋材５２により、メダル計数機５０では、計数ユニット１００の一部分（メダル収容筐体１１０やカバー体１１１）のみが外部から視認できる。表示パネル２１と、カード挿入口２２と、再計数ボタン２３と、計数開始／終了ボタン２５とは、メダル計数機５０の上面において、蓋材５２よりも奥側に配置される。なお、表示パネル２１、カード挿入口２２、再計数ボタン２３、計数開始／終了ボタン２５の配置位置は、図１に示す位置に限られず、適宜変更してもよい。
【００１８】
メダル計数機５０の正面側には、メダル投入部３０が設けられる。メダル投入部３０には、メダルＭを投入するためのメダル投入口３１が形成される。メダル投入口３１の下方には、メダル排出部４０が設けられる。メダル排出部４０は、メダルＭを遊技者に返却するための受け部として機能する。メダル排出部４０には、メダルＭを排出するためのメダル返却口４２と、このメダル返却口４２から排出されるメダルＭを受け止める返却メダル受け皿４１とが設けられる。返却メダル受け皿４１は、メダル投入口３１から投入されたものの使用できないメダルＭ（他遊技場メダル・偽造メダルなど）等を受け止める。メダル投入部３０、メダル投入口３１、メダル排出部４０、返却メダル受け皿４１、メダル返却口４２は、個々の計数ユニット１００に対応させて一つずつ設けられる。
【００１９】
表示パネル２１は、例えば、メダルＭの計数結果の表示、その他の操作方法案内などを表示する液晶の表示画面である。表示パネル２１には、タッチパネルセンサ２１Ａが積層されている。
【００２０】
カード挿入口２２は、会員登録をした遊技客に付与される会員用ＩＣカードや、会員登録をしていない遊技客に係る有価価値特定情報などが記憶された非会員用ＩＣカード、または従業員を識別する従業員識別用ＩＣカードを挿入するための挿入口である。有価価値特定情報としては、例えばＩＤ情報や有価価値そのものに係る情報でもよい。なお、有価価値としては、遊技客が遊技の結果得た獲得遊技媒体数に対応した有価価値（持ちメダル数・貯メダル数）と、紙幣の額に対応した有価価値（度数）などが例示できる。カード挿入口２２の近傍には、カード返却ボタン２２Ａが設けられる。カード返却ボタン２２Ａは、カード挿入口２２から挿入されたＩＣカードを排出させるための操作ボタンである。カード挿入口２２に関しては、例えば、記録媒体として前記の様にＩＣカードを採用する場合、カード挿入口２２を設けず、カード挿入口２２近辺にＩＣカードを接触させる事で、前記有価価値特定情報を記憶、あるいは読み取りさせてもよい。
【００２１】
カード処理機２８は、カード挿入口２２の下方に位置するが、ハウジング５１により外部からは見えない。カード処理機２８は、カード挿入口２２から挿入されたＩＣカードを受け入れる。カード処理機２８は、カード挿入口２２から挿入されたＩＣカードからＩＤなどの情報を読み取るものであり、例えば、リーダライタなどで構成される。また、カード処理機２８は、例えば、ＩＣカードを持っていない遊技客が計数を行った場合、カードストック部からリーダライタ部に非会員用ＩＣカードを発行準備する機能を有してもよい。さらに、この貯留した非会員用ＩＣカードに新たに記憶するＩＤや、予め記憶されたＩＤに基づいて遊技場内や遊技場から離れて設置された管理装置（サーバ等）に有価価値を記憶したり、有価価値を非会員用ＩＣカードに記憶したりする等、非会員用ＩＣカードと有価価値の対応付け処理をして発行する機能を有してもよい。
【００２２】
計数開始／終了ボタン２５は、メダル投入口３１に投入したメダルＭの数量を計数するときに押されるボタンである。計数開始／終了ボタン２５が押されると、メダル投入口３１に投入されたメダルＭは、メダル計数機５０の計数ユニット１００に取り込まれて計数される。メダルＭの計数が終了後、もう一度計数開始／終了ボタン２５を押されると、計数した情報が前記カード処理機２８内のＩＣカードに書き込まれる。また、例えば、カード処理機２８を設ける代わりに、レシート発行機を設け、メダルＭの計数終了時に、計数開始／終了ボタン２５を押す事で、計数情報を印刷したレシートを発行してもよい。なお、計数開始時に、計数開始／終了ボタン２５を押さずに、電気導通センサや光学式センサによりメダル投入口３１にメダルの投入を検知した場合に自動的に計数するようにしてもよい。
【００２３】
再計数ボタン２３は、計数開始／終了ボタン２５を押し、計数が開始した後、メダル投入口３１に投入された全てのメダルＭの計数が終了していないのに、計数動作が止まった場合に再度計数動作を開始させるためのボタンである。
【００２４】
制御部６０は、インタフェイス回路、ＣＰＵ、ＲＯＭ、ＲＡＭ、ＡＤ変換回路（いずれも図示せず）などから主に構成される。ＡＤ変換回路は、ＣＣＤカメラが撮影したアナログ信号をデジタル情報に変換してＲＡＭに時系列に順次記憶する。メダル計数機５０に備わる各構成機器を駆動するための電力は、電源回路（図示せず）により供給される。インタフェイス回路は表示パネル２１、カード処理機２８、計数ユニット１００（特にそれに備わる撮像部１５１や第２の計数装置１９５、光学式センサや近接センサなどのメダル位置検知手段１５２等）のいずれに対してもデータ通信自在に接続している。制御部６０は、ＣＰＵの駆動によってインタフェイス回路を介してこれら各部を制御する。制御部６０は、インタフェイス回路や配線（図示せず）、コネクタ（図示せず）を介してメダル計数機５０の各部（表示パネル２１、タッチパネルセンサ２１Ａ、カード返却ボタン２２Ａ、再計数ボタン２３、計数開始／終了ボタン２５、カード処理機２８、五個の計数ユニット１００に備わる各部〈各種モータ、撮像部１５１、メダル排除機構１８０、第２の計数装置１９５、センサ類〉等）に電気的に接続している。制御部６０は、メダル計数機５０内の各構成機器の制御や、スロット島にデータ通信自在に接続する各種のコンピュータ、管理装置などのメダル計数機５０以外の機器との情報通信も行う。
【００２５】
図４は、計数ユニット１００の斜視図である。図５は、計数ユニット１００の平面図である。図６は、計数ユニット１００の側面図である。図７は、搬送装置１２０の側面図である。前述したように、メダル計数機５０は、五個の計数ユニット１００を有する。個々の計数ユニット１００は、メダル収容筐体１１０を有する。メダル収容筐体１１０は、メダル計数機５０において正面側に配置され、メダル投入部３０やメダル投入口３１を構成し、メダル投入口３１から投入され計数ユニット１００に取り込まれたメダルＭを計数する。計数ユニット１００は、メダルＭを計数するための第１の計数装置（メダル位置検知手段１５２におけるセンサ）と第２の計数装置１９５とを有している。計数されたメダルＭは、計数ユニット１００の奥側下方に設けられた回収路７０Ａを経て、メダル計数機５０内の排出部（図示せず）を介して遊技島に排出される。メダル収容筐体１１０には、遊技客が不用意に逆転ローラ１２４（後述）に触らないよう、カバー体１１１が被せられる。カバー体１１１には、メダルＭを通過させるための孔１１１Ａが設けられる。
【００２６】
計数ユニット１００は、さらに、搬送装置１２０と、メダル整列部としてのゲート部１３０と、傾斜誘導路１４０と、メダル識別手段１５０と、流下通路１６０と、メダル排除手段としてのメダル排除機構１８０とを有する。メダル排除機構１８０は、メダル返却手段としても機能する。搬送装置１２０と傾斜誘導路１４０と流下通路１６０とは、メダルＭを搬送する搬送経路１００Ａを構成する。搬送経路１００Ａの下流端（流下通路１６０の下流端）には、回収路７０Ａが繋がっている。本実施の形態の計数ユニット１００では、メダルＭの搬送経路１００Ａが個々の計数ユニット１００の筐体のそれぞれについて左右両側面に設けられており、メダルＭの搬送能力が向上している。
【００２７】
［搬送装置１２０］  図４ないし図７を参照する。搬送装置１２０は、メダル収容筐体１１０の底部に設けられる。搬送装置１２０は、メダル収容筐体１１０に投入され横倒した状態にあるメダルＭを、計数ユニット１００の内部に搬送する。搬送装置１２０は、回転ローラ１２１ａ、１２１ｂ、１２１ｃ、１２１ｄと、搬送ベルト１２２と、逆転ローラ１２４と、駆動モータ１２５と、伝達手段１２６と、噛込防止部材１２７とを有する。
【００２８】
回転ローラ１２１ａ、１２１ｂ、１２１ｃ、１２１ｄは、計数ユニット１００（メダル計数機５０）の正面側から見て左右に水平に延び、この左右水平方向の軸周りに回転自在となっている。搬送ベルト１２２は、回転ローラ１２１ａ、１２１ｂ、１２１ｃ、１２１ｄに掛け渡される無端の平ベルトである。搬送ベルト１２２の表面は、ゴムなどで被覆されてメダルＭとの摩擦抵抗の増大が図られている。搬送ベルト１２２は、手前側から奥側に向かって上り傾斜となっており、回転ローラ１２１ｂが図６、図７中の矢印Ｒの方向に回転することで、搬送ベルト１２２上のメダルＭが手前側から奥側に移動する。逆転ローラ１２４は、横倒させた状態のメダルＭ一枚のみの通過を許容する間隙（メダルＭ一枚分の厚さよりも大きく且つメダルＭ二枚分の厚さよりは小さい間隙で、好ましくはメダルＭの厚さの１．２〜１．８倍程度の間隙）を設けて、搬送ベルト１２２の上方に配置される。逆転ローラ１２４は、複数重なった状態で搬送され接触した上側位置のメダルＭをメダル収容筐体１１０内に弾き返す。
【００２９】
駆動モータ１２５は、回転ローラ１２１ａ、１２１ｂ、１２１ｃ、１２１ｄのうちの少なくとも１つの回転ローラ（本実施の形態では、回転ローラ１２１ｂ）と逆転ローラ１２４とを回転させる駆動源となる。伝達手段１２６は、ギヤやベルトにより構成され、駆動モータ１２５のモータ軸の回転駆動力を回転ローラ１２１ａ、１２１ｂ、１２１ｃ、１２１ｄ及び逆転ローラ１２４に伝達する。なお、回転ローラ１２１ａ、１２１ｂ、１２１ｃ、１２１ｄの配置構成は、図６及び図７に示された配置構成に限られず、例えば、正面側から見て前後方向に並列して設けられた一対の回転ローラで構成されてもよく、搬送装置１２０が設置される設置空間などの条件などによって適宜に設定できる。また、本実施の形態では、回転ローラ１２１ｂが駆動モータ１２５により駆動されるが、他の１つまたは複数の回転ローラが駆動モータ１２５により駆動されてもよい。また、本実施の形態の計数ユニット１００では、搬送ベルト１２２が二つ並設され、個々の搬送ベルト１２２に対応して逆転ローラ１２４が設けられる。また、駆動モータ１２５は、回転ローラ１２１ａや回転ローラ１２１ｄよりも高い位置に設置されることで、イタズラ等によりメダル収容筐体１１０内に投入された液体との接触を防止できる。
【００３０】
噛込防止部材１２７は、板状で、搬送ベルト１２２の上面に垂直な方向に延び、逆転ローラ１２４の直径方向延長上に位置し、逆転ローラ１２４と接触しない程度の微小の隙間をあけて配置される。噛込防止部材１２７は、メダルＭの噛み込みを防止する。詳細には、噛込防止部材１２７の上方部が遊技客側（回転ローラ１２１ｄ側）に湾曲しており、噛込防止部材１２７は、逆転ローラ１２４によって上方に弾き出されるメダルＭを、逆転ローラ１２４よりも上流側に戻す。
【００３１】
ところで、メダル収容筐体１１０は、回転ローラ１２１ｂと軸線が一致する所定の回転中心軸１２８によって、前方方向に回動可能に取り付けられている。なお、回転ローラ１２１ｂを回転中心軸１２８として用いてもよい。メダル収容筐体１１０を前方方向に回動することで、傾斜誘導路１４０の上流側の端部を露出でき、図１３に基づいて後述する処理によって使用できるメダルでないと判定されて突起部１４３上に位置するメダルＭや、ゲート部１３０に詰まったメダルＭを容易に取り除くことができる。なお、ゲート部１３０の上流側に詰まったメダルＭをさらに容易に取り除くことができるよう、ゲート部１３０（例えば、一対のゲート板状部材１３１のうちの一方または双方）を取り外し可能にしてもよい。また、メダル収容筐体１１０を前方方向に回動した際、ゲート部１３０が動かずに傾斜誘導路１４０側に位置するようにしてもよい。また、一対のゲート板状部材１３１のみを傾斜誘導路１４０側に残し、遮断部材作動機構１３２及び遮断部材１３３をメダル収容筐体１１０とともに移動するようにしても、ゲート板状部材１３１と遮断部材作動機構１３２と遮断部材１３３とを移動させずに傾斜誘導路１４０側に残すようにしてもよい。また、一対のゲート板状部材１３１のうちのいずれか一方のみが、メダル収容筐体１１０とともに移動せずに、傾斜誘導路１４０側に位置するように構成してもよい。また、ゲート部１３０（例えば、一対のゲート板状部材１３１うちの一方または双方）を取り外しできるようにしてもよい。
【００３２】
［ゲート部１３０］  図８は、ゲート部１３０の平面図である。図４、図５、図６、図７及び図８を参照する。ゲート部１３０は、搬送ベルト１２２と逆転ローラ１２４との間隙を通過し横倒された状態にあるメダルＭを整流させる。ゲート部１３０は、一対のゲート板状部材１３１を有する。一対のゲート板状部材１３１は、互いに対向して配置され、それらの間にメダルＭが通過できる程度のゲート幅Ｌが確保されている。ゲート板状部材１３１は、搬送ベルト１２２により搬送されるメダルＭの外周面に当接され、このメダルＭを整流する。ゲート幅Ｌは、メダルＭの直径よりも０．１〜１．２ｍｍ程度大きく設定することが好ましい。ゲート板状部材１３１は、ゲート幅Ｌよりも大きな直径を有する異物Ｎの進入を防止する。
【００３３】
ゲート部１３０は、遮断部材作動機構１３２と、棒状部材などで構成される遮断部材１３３とを有する。遮断部材作動機構１３２は、ソレノイドなどの機械的手段により構成され、遮断部材１３３をメダルＭの搬送方向に対して垂直な方向に進退させてメダルＭの通過を許容したりメダルＭを阻止したりする。ゲート部１３０を通過したメダルＭは、搬送ベルト１２２によって傾斜誘導路１４０に導かれる。
【００３４】
［傾斜誘導路１４０］  図９は、傾斜誘導路１４０の斜視図である。図１０は、傾斜誘導路１４０を正面側から見た図である。図１１は、図１０の一部の拡大図である。図１２は、傾斜誘導路１４０の側面図である。図４、図５、図６、図９、図１０、図１１及び図１２を参照する。傾斜誘導路１４０は、搬送装置１２０によって搬送されたメダルＭを、傾斜側面１４１によってメダルＭの姿勢を変えながらメダルＭを流下通路１６０に流下させる。傾斜誘導路１４０の上部近傍には、突起部１４３が設けられる。搬送装置１２０によって搬送され横倒された状態にある左右の二つのメダルＭは、突起部１４３と傾斜誘導路１４０の上面の中央部付近の底面とによって略水平に保持される。ここでいう略水平とは、重力方向に直交する方向に限られず、搬送装置１２０によるメダルＭの進行方向に対して下方に傾いた状態で、且つ、この進行方向に対して垂直な左右方向に対しては上下に傾きなく、メダル径の断面のみが水平となって、撮像部１５１（後述）の撮像方向に対しメダル平面を垂直に向けた状態を含む。傾斜誘導路１４０は、搬送方向傾斜面１４１Ａと、傾斜側面１４１とを形成する。搬送方向傾斜面１４１Ａは、搬送ベルト１２２によるメダルＭの搬送方向に向かうにつれて徐々に下方に傾斜する。傾斜側面１４１は、搬送ベルト１２２によるメダルＭの搬送方向に対し直交する左右方向に凸状に湾曲しながら下方に傾斜する。傾斜誘導路１４０の上面の中央部には、上流側から下流側に向かうにつれて広がる平面視略Ｖ字状形状をなし、所定の高さを有するＶ字状壁１４２が立ち上がっている。メダルＭは、その外周面がＶ字状壁１４２に接触して傾斜側面１４１側に動き、図９、図１０、図１１、図１２中の矢印Ｒ１に沿って傾斜側面１４１を流下する。
【００３５】
ところで、図６に示すように、搬送装置１２０と傾斜誘導路１４０との連結箇所において、搬送装置１２０の下流側端部が傾斜誘導路１４０の上流側端部よりも若干上方にあり、ゲート部１３０を通過したメダルＭが、その先端を斜め下方に傾けた状態で傾斜誘導路１４０上に移る。メダルＭの先端が斜め下方に傾いた状態となるのは、メダルＭの先端が突起部１４３上を下流側に通過した後であり、メダルＭの先端が突起部１４３に引っ掛かって後続のメダルＭの傾斜誘導路１４０上への進入が妨げられることはない。
【００３６】
搬送ベルト１２２の上面が手前側から奥側に向かって上り傾斜となっていることで、例えば、不正行為を行うための道具である弾性構造体が搬送ベルト１２２に沿って挿入された場合でも、搬送ベルト１２２の延長線上と、次にメダルＭが導かれる傾斜誘導路１４０におけるメダルＭの進行方向が異なるため、弾性構造体が後述する第２の計数装置まで挿入し難くなり、不正行為を防止できる。さらに、搬送ベルト１２２の上面を手前側から奥側に向かう上り傾斜とすることで、ゲート部１３０におけるメダル詰まりを抑制することができる。なお、本実施の形態では、搬送ベルト１２２の上面が手前側から奥側に向かって上り傾斜となる構成の一例を示したが、例えば、弾性構造体などによる不正行為を防止できる構成を他に備える場合などには、搬送ベルト１２２の上面を水平にしてもよい。弾性構造体などによる不正行為を防止する構成の一例として、搬送装置１２０側が開口した箱体からなる一方開口部材（図示せず）を、傾斜誘導路１４０の上方空間で搬送ベルト１２２の上面の延長上に配置してもよい。一方開口部材を配置することで、不正行為を行うための道具（弾性構造体など）が搬送ベルト１２２の上面に沿って挿入されても、弾性構造体の先端が一方開口部材に突き当たり、不正行為が防がれる。ここで、搬送ベルト１２２の上面が水平となっている場合には、搬送ベルト１２２の上面が上方傾斜している場合と比較して、弾性構造体が傾斜誘導路１４０に進入しやすくなる。そのため、搬送ベルト１２２の上面が水平となっている場合には、一方開口部材による弾性構造体などの傾斜誘導路１４０や流下通路１６０への進入防止の効果が大きい。
【００３７】
本実施の形態では、傾斜誘導路１４０の傾斜側面１４１として、凸状に湾曲しながら傾斜する傾斜側面を例示したが、この形状に限られるものではなく、例えば、傾斜側面を平面などで構成してもよい。即ち、傾斜誘導路１４０の傾斜側面１４１の形状は、メダルＭを、搬送装置１２０による搬送方向に進行させるとともに、傾斜側面１４１を流下させ横倒した状態のメダルＭを縦立した状態とすることができる形状であればよい。
【００３８】
傾斜誘導路１４０の傾斜側面１４１は、流下通路１６０の上流部の一部を形成する。流下通路１６０の上流部は、図１１に示すように、傾斜誘導路１４０の外側に流下方向に立設された側壁１６１と、傾斜誘導路１４０の傾斜側面１４１と、底部１６２とによって構成され、正面視において下方に向かうにつれて窄まる谷形状をなす。なお、前述したように、傾斜側面１４１は、凸状に湾曲するものに限られず、平面状であってもよい。傾斜誘導路１４０の傾斜側面１４１によって導かれたメダルＭは、流下通路１６０の上流部に収納され、縦立した状態で流下し、メダル排除機構１８０を備える流下通路１６０の中流部に向かう。側壁１６１と傾斜側面１４１との間隙は、メダルＭの厚さよりも若干大きく設定され、メダルＭが縦立した状態でスムーズに流下できるように構成される。
【００３９】
［メダル識別手段１５０］  図６、図１０及び図１２を参照する。メダル識別手段１５０は、突起部１４３上で略水平状態となったメダルＭが利用可能なメダルであるか否かを識別する。メダル識別手段１５０は、撮像部１５１と、識別部（図示せず）とを有する。撮像部１５１は、突起部１４３の上方で、突起部１４３上で略水平状態となったメダルＭの表面と略平行に設置され、突起部１４３上で水平状態となったメダルＭを撮像する。撮像部１５１の一例は、ＣＣＤカメラである。識別部は、撮像部１５１で撮像された画像が利用可能なメダルか否かを識別する処理を行う。メダル識別手段１５０は、ＬＥＤなどの照射源を有してもよい。識別部の一例は、制御部６０（図１参照）である。
【００４０】
メダル識別手段１５０は、さらに、突起部１４３の内部又は直下で、且つ、傾斜誘導路１４０を構成する部材の内部に、メダルＭが突起部１４３上の撮像可能な領域内に位置することを検知し、検知信号を制御部６０（識別部）に出力しこの検知信号によってメダル識別手段１５０が駆動するようなメダル位置検知手段１５２を有する。メダル位置検知手段１５２は、突起部１４３上で略水平状態となったときのメダルＭを検知可能な位置に設けられればよい。また、メダル位置検知手段１５２におけるセンサをもって、計数手段としても機能させ、第１の計数装置として計数を行う。なお、後述するメダル識別手段により識別を行った結果、使用できないものであると識別されたメダルＭの計数値は、第１の計数装置により計数を行った計数値から減算される。メダル位置検知手段１５２としては、光学式センサ、近接センサなどを使用することができる。また、撮像部１５１を高速度撮影することでメダル位置を検知し、これをメダル位置検知手段１５２、及び第１の計数装置としてもよい。
【００４１】
図１３は、メダルＭが使用できるものであるか否かを判定する処理の流れを示すフローチャートである。使用できるメダルＭとは、遊技場で使用が認められているメダルをいう。
【００４２】
まず、ゲート部１３０を通過したメダルＭは、メダルＭの先端が斜め下方に傾いた状態で傾斜誘導路１４０上に導かれ、突起部１４３上であって撮像部１５１によるメダルＭの表面全体の撮像が可能な位置に導かれる。制御部６０（識別部）は、メダル位置検知手段１５２が検知して出力した検知信号の入力を待機（ステップＳ３００）する。制御部６０は、複数の処理を切り替えてマルチタスクとして並行して進めており、ステップＳ３００の処理もその複数の処理のうちの一つとして行っている。制御部６０は、検知信号の入力が無いと判定した場合（ステップＳ３００のＮｏ）、図１３に示す処理から復帰（リターン）し他の処理を進める。他方、制御部６０は、検知信号の入力があったと判定すると（ステップＳ３００のＹｅｓ）、撮像部１５１によるメダルＭの撮像が可能であるとして、撮像部１５１を作動してメダルＭを撮像し（ステップＳ３０１）、撮像部１５１からの撮像情報に基づいてメダルＭが使用できるメダルであるか否かを判定するための画像処理を行う（ステップＳ３０２）。画像処理は、一例として、記憶手段に記憶された画像解析プログラムの記述に従った、撮像されたメダルＭの表面の文字や模様と予め記憶されている正規のメダルＭの表面の文字や模様との比較である。なお、搬送装置１２０から導入されたメダルＭは、搬送装置１２０による搬送方向に搬送されつつ傾斜側面１４１に沿って流下するため、メダルＭが撮像可能な位置に停止するわけではない。
【００４３】
続いて、制御部６０（識別部）は、画像処理した情報に基づいて、メダルＭが使用できるものであるか否かを判定する（ステップＳ３０３）。ステップＳ３０３の判定でメダルＭが使用できるものであると判定した場合（ステップＳ３０３のＹｅｓ）、制御部６０（識別部）は、図１３に示す処理から復帰（リターン）し他の処理を進める。他方、ステップＳ３０３の判定でメダルＭが使用できるものでないと判定した場合（ステップＳ３０３のＮｏ）、制御部６０（識別部）は、メダル排除処理（ステップＳ３０４）を実行する。メダル排除処理については、［メダル排除機構１８０］の説明のところで後述する。
【００４４】
［流下通路１６０］  図４、図５、図６、図９、図１０、図１１及び図１２を参照する。メダル識別手段１５０で撮像されたメダルＭは、搬送装置１２０による搬送方向に進行しつつ、傾斜誘導路１４０の傾斜側面１４１を矢印Ｒ１に沿って流下し、横倒した状態から縦立した状態となり、流下通路１６０に入り込む。流下通路１６０は、計数ユニット１００の両側面に設けられ、傾斜誘導路１４０によって導かれたメダルＭを、回収路７０Ａに導く。流下通路１６０の上流部は、前述したように、側壁１６１と、傾斜誘導路１４０の傾斜側面１４１と、底部１６２とにより構成され、側壁１６１と傾斜側面１４１との間隙がメダルＭの厚さよりも若干大きくなっていて、メダルＭが縦立した状態でスムーズに流下できるようになっている。なお、横倒した状態とは、メダルＭが重力方向に対して垂直である水平となった状態、および水平面とメダルＭの表面とのなす角が±４５度未満の範囲で傾いた状態をいう。また、縦立した状態とは、メダルＭが重力方向に対して平行となる直立した状態、および重力方向に対して平行な面とメダルＭの表面とのなす角が±４５度以下の範囲で傾いた状態をいう。メダルＭは、流下通路１６０をスムーズに自由流下するために、縦立した状態のときに略鉛直に向いていることが好ましい。
【００４５】
［メダル排除機構１８０］  図１４は、メダル排除機構１８０が駆動されていない状態での図６のＢ−Ｂ線断面を示す図である。図１５は、メダル排除機構１８０が駆動されている状態での図６のＢ−Ｂ線断面を示す図である。図１６は、メダル排除機構１８０の下端側支持部１８２を上方から見た図である。図４、図５、図６、図１４、図１５及び図１６を参照する。メダル排除機構１８０は、流下通路１６０の中流部に設けられ、流下通路１６０の上流部から縦立した状態で流下するメダルＭを選択的に排除する。メダル排除機構１８０は、メダル識別手段１５０における識別判定の処理（図１３参照）に基づいて、使用することができないメダル（例えば、偽造メダルなど）を、流下通路１６０から計数ユニット１００の中央側へ排除する。
【００４６】
メダル排除機構１８０は、上端側支持部１８１と、下端側支持部１８２とを有する。上端側支持部１８１は、流下通路１６０を通過中のメダルＭの上端部を支持する。下端側支持部１８２は、断面凹状形をなしてメダルＭの下端部を支持する。メダルＭは、メダル排除機構１８０において、上端側支持部１８１と下端側支持部１８２とによってのみ支持される。メダル排除機構１８０の近傍、特に、メダルＭを排除するために押し出す方向（図１４におけるメダルＭの右側の方向）には、押し出しを阻害する部材は存在しない。
【００４７】
下端側支持部１８２は、図１４及び図１５に示すように、メダルＭの下端側を安定して支持するために、中央に下流に向かって溝部１８２ａを有する、断面視にて凹形状をなす部材で構成される。
【００４８】
上端側支持部１８１は、図１４及び図１５に示すように、メダルＭの上方の外側端縁を支持する支持面１８３ａを有する、断面視にてＬ字状をなす外側支持部材１８３を備える。さらに、上端側支持部１８１は、断面形状が凹状（コ字状）であり、下方に開口部を位置させて、外側支持部材１８３を上方から覆うように配置された内側支持部材１８４を備える。内側支持部材１８４は、メダルＭの上方の内側端縁を支持する支持面１８４ａを有し、メダルＭを排除する際、メダルＭの上方の外側（図１４及び図１５におけるメダルＭの左側）から内側（図１４および図１５におけるメダルＭの右側）に向かう方向に押圧する押圧部１８４ｂを備える。内側支持部材１８４の支持面１８４ａによって支持される、メダルＭの上端縁側の厚さＰは、０．５ｍｍ程度である。即ち、メダルＭの直径が、正規のメダルＭの直径よりもＰｍｍを超えて小さい場合（即ち、正規のメダルＭの直径との差がＰｍｍよりも大きい場合）には、内側支持部材１８４の支持面１８４ａによって支持されない。内側支持部材１８４の上部には、駆動機構１８５が連結される。駆動機構１８５は、メダルＭの流下方向に対して垂直な方向に移動する。内側支持部材１８４は、駆動機構１８５の移動に伴って、回転軸１８６を中心に回転する。
【００４９】
駆動機構１８５を駆動すると、図１５に示すように、図１５における左側（計数ユニット１００における外側方向）に突出する。これにより、内側支持部材１８４が回転軸１８６を中心に上流側から見て反時計回りに回転する。その結果、メダルＭに対する支持面１８４ａによる支持が解除され、メダルＭは押圧部１８４ｂによって計数ユニット１００の外側から内側に押圧され、流下通路１６０から排除される。
【００５０】
上端側支持部１８１は、駆動機構１８５によって流下通路１６０を流下するメダルＭの面に対して直交する方向に、メダルＭを排除する位置とメダルＭを排除せずにそのまま流下通路１６０に沿って流下させる位置との間を動く。図１３に示す処理の中で、ステップＳ３０３の判定でメダルＭが使用できるメダルであると判定した場合（ステップＳ３０３のＹｅｓ）、メダル排除機構１８０における駆動機構１８５は駆動されない。他方、ステップＳ３０３の判定でメダルＭが使用できるメダルでないと判定した場合（ステップＳ３０３のＮｏ）、制御部６０は、ステップＳ３０４（メダル排除処理）として、駆動機構を動作させるべく所定時間後に作動する割込処理をセットしこの割込処理のたびに駆動機構１８５を駆動させることを行う（ステップＳ３１０）。駆動機構１８５を駆動させるタイミングは、例えば、傾斜誘導路１４０の突起部１４３上の撮像可能な位置で撮像されてからメダルＭが流下する時間などで設定される。具体的には、例えば、傾斜誘導路１４０の突起部１４３上の撮像可能な位置からメダル排除機構１８０に至るまでの流下時間を予め調べておき、その流下時間および撮像された時間に基づいて、駆動機構１８５を駆動させる。なお、駆動機構１８５を駆動させるタイミングは、傾斜誘導路１４０の突起部１４３上の撮像可能な位置で撮像されてからの時間に限られるものではなく、メダル位置検知手段１５２によって検知されてからの時間などで設定してもよい。駆動機構１８５を駆動させる際には、制御部６０は、駆動機構１８５を駆動するための駆動信号を出力して、駆動機構１８５を駆動する。駆動機構１８５が駆動すると、縦立した状態で流下通路１６０を流下するメダルＭがメダル返却通路としての傾斜通路１９０に排出され、傾斜通路１９０を滑り落ち、メダル返却口４２（図１参照）から排出され、返却メダル受け皿４１（図１参照）に到達する。駆動機構１８５は、メダルＭの排除後、駆動機構１８５を元に戻してメダルＭを流下可能な状態にする。このような駆動機構１８５は、例えば、ソレノイドなどで構成することができる。上端側支持部１８１と下端側支持部１８２とを別個に設け、一方を動かすようにすることで、駆動機構１８５や上端側支持部１８１、下端側支持部１８２の可動範囲が小さくなり、例えば、メダル計数機５０内のメダルＭの貯留空間が増大する。
【００５１】
メダル排除機構１８０は、さらに、薄い板状部材で形成され弾性を有する板ばね等のメダル押圧部材１８７を有する。メダル押圧部材１８７の先端１８７ａは、図１６に示すように、流下通路１６０を流下するメダルＭの流下軌跡に突出する。メダル押圧部材１８７の他端は、固定されている。メダル押圧部材１８７は、薄い板状部材で形成されるため、メダルＭの流下を妨げない。
【００５２】
なお、メダル押圧部材１８７を設けない、あるいは板ばねの経時変換にともなう弾性力の欠如に備え、図１４において、通過するメダルＭの上端が傾斜通路１９０側に若干傾くように、上端側支持部１８１が下端側支持部１８２よりもやや右よりに位置してもよい。これより、例えば、メダルＭの直径が、正規のメダルＭの直径よりもＰｍｍを超えて小さい場合（即ち、正規のメダルＭの直径との差がＰｍｍよりも大きい場合）には、メダルＭを傾斜通路１９０に確実に落ちるように構成することができる。
【００５３】
ここで、一対のゲート板状部材１３１（図８等）では、所定の直径（例えば、正規のメダルＭの直径）よりも大きなメダルの進入を防止するものの、所定の直径よりも小さなメダルはゲート部１３０を通過し、傾斜誘導路１４０や流下通路１６０に進入することになる。しかしながら、メダル排除機構１８０において、メダルＭ（正規のもの）は、上端側支持部１８１と下端側支持部１８２とにより上端部と下端部とが支持されるのみであり、正規のものよりも小さなメダルはその上端部を支持されず、メダル押圧部材１８７の先端１８７ａに押し出されて流下通路１６０から排除される。このように、メダル排除機構１８０は、メダルを排除する機能と所定の直径に満たないメダルを識別する機能とを兼ね備えることになる。なお、正規のメダルＭの直径よりも小さく且つ直径差が僅かであるメダルの場合には、駆動機構１８５を駆動させることで排除される。
【００５４】
図６に示すように、計数ユニット１００の中央側には、メダル排除機構１８０によって押し出されたメダルＭを、メダル計数機５０の正面に設けられるメダル返却口４２に導く傾斜通路１９０が設けられる。傾斜通路１９０は、メダル返却口４２に向かって下方傾斜する平板状部材で構成され、計数ユニット１００の中央に位置する。傾斜通路１９０の表面は、メダルＭが滑りやすいように、鏡面加工等によりメダルＭとの摩擦抵抗を小さくすることが好ましい。傾斜通路１９０は、計数ユニット１００内のデッドスペースの有効活用に寄与し、これによって、メダル計数機５０に必要な機器を配置するためのスペースを確保することができる。
【００５５】
メダル排除機構１８０によって計数ユニット１００の中央側へ排除されたメダルは、図６に示すように、傾斜通路１９０を滑り落ち、メダル返却口４２から排出され返却メダル受け皿４１に返却される。メダル排除機構１８０は、計数ユニット１００の両側面に設けられたそれぞれの流下通路１６０に備わっており、傾斜通路１９０には、双方のメダル排除機構１８０によって排除されたメダルＭが流下する。
【００５６】
一方、メダル排除機構１８０によって排除されることなく、メダル排除機構１８０を通過したメダルＭは、流下通路１６０の下流部に設けられた上端側支持部１８８と下端側支持部１８９とに支持されて、流下通路１６０の下流部に流下する。流下通路１６０の下流部には、メダルＭの数量を計数するための第２の計数装置１９５が設けられる。第２の計数装置１９５は、流下通路１６０を流下するメダルＭを計数する。メダルＭは、計数された後、さらに流下して、回収路７０Ａに入る。
【００５７】
ここで、一例として、会員用ＩＣカードなどのＩＣカードなどがカード挿入口２２に挿入されＩＣカードに記憶されたＩＤが読み取られた場合、計数装置により計数された計数値が計数メダル数としてそのＩＤに基づき管理装置などに記憶される。別の一例として、ＩＣカードを挿入されずに計数装置により計数された場合、例えば、カード処理機２８に貯留されたＩＣカードにＩＤなどの情報を記録して発行し、そのＩＤに基づき、計数装置により計数された計数値を計数メダル数として管理装置などに記憶させてもよい。別の一例として、例えば、計数装置により計数された計数値に係る情報をバーコードなどの態様で記録したレシートを発行する機構を設けてもよい。レシートを発行する場合、レシートには、簡易管理用ＩＤが記録され、その簡易管理用ＩＤは、そのレシートを用いて景品交換されるまで、管理装置において計数されたメダル数とともに管理される。メダル数の計数結果は、表示パネル２１に表示されてもよい。
【００５８】
第２の計数装置１９５の配置位置は、この位置に限られず、傾斜誘導路１４０よりも流下通路１６０の下流側であればよい。さらに、第２の計数装置１９５の配置位置は、メダル排除機構１８０よりも流下通路１６０の下流側で流下するメダルＭを計数可能な位置であれば、さらに好ましい。第２の計数装置１９５をメダル排除機構１８０よりも流下通路１６０の下流側に配置することで、不正行為を行うための道具（弾性構造体など）がメダル投入口３１から挿入されても、道具が第２の計数装置１９５に近づき難く、不正行為が防止されるという効果が生まれることになる。また、このメダル位置検知手段１５２を、例えば、メダルＭが突起部１４３上から移動しない場合や、第２の計数装置１９５での計数動作中にメダルＭを所定時間検知しない場合などのメダル搬送異常検知手段として機能させてもよい。この場合において、制御部６０は、メダル位置検知手段１５２からの入力信号などに基づいて、メダルＭが突起部１４３上から移動しない場合や、第２の計数装置１９５での計数動作中にメダルＭを所定時間検知しない場合などを判定し、通報処理を実行するようにしてもよい。通報処理として、例えば、表示パネル２１にメダル搬送異常である旨を表示したり、メダル搬送異常検知情報を遊技場の管理装置などに出力したりしてもよい。
【００５９】
なお、本実施例において、計数装置を、メダルＭが通過する一の流路に第１の計数装置と第２の計数装置、２ヶ所設けている。第１の計数装置は、搬送装置１２０によって搬送され整列されたメダルＭを計数可能な位置に、第２の計数装置は、流下通路１６０においてメダル排除機構１８０よりも下流側で流下するメダルＭを計数可能な位置に設けてあればよい。なお、例えば、一の流路に３以上の計数装置を設けてもよい。計数装置を複数設ける場合、各計数装置における計数結果が異なるときには、所望の計数装置の計数結果を計数値とするよう設定する。例えば、本実施例においては、奥側に位置し、不正行為などが行われる可能性が低い第２の計数装置１９５を所望の計数装置として設定する。また、計数装置を複数設ける場合、搬送装置１２０によって搬送され整列されたメダルＭを計数する第１の計数手段（突起部１４３の近傍位置に光学式センサ、近接センサ、撮像部１５１を高速度撮影してメダル位置を検知してもよい）を設け、流下通路１６０を流下するメダルＭを計数する第２の計数手段（第２の計数装置１９５）を設け、第１の計数手段で計数したものが第２の計数手段によって計数できないときに、ジャム（搬送不良）、もしくは、第１の計数手段のみ不正行為を行われていると判定することもできる。
【００６０】
さて、本実施の形態で説明したのは、ハウジング５１と、／前記ハウジング５１に収納される計数ユニット１００と、／前記計数ユニット１００に設けられ、前記ハウジング５１の正面側に位置付けられ、平坦な遊技媒体（メダルＭ）を受け入れる遊技媒体投入部（メダル投入部３０）と、／前記計数ユニット１００に設けられ、前記遊技媒体投入部（メダル投入部３０）に投入され第１の向きに向いた状態にある前記遊技媒体（メダルＭ）を前記計数ユニット１００の奥側に搬送する搬送手段（搬送装置１２０）と、／前記計数ユニット１００において前記搬送手段（搬送装置１２０）よりも奥側に設けられ、前記搬送手段（搬送装置１２０）により搬送された前記遊技媒体（メダルＭ）を第２の向きに向けるメダル変位機構（傾斜誘導路１４０）と、／前記計数ユニット１００において前記メダル変位機構（傾斜誘導路１４０）よりも奥側に設けられ、前記メダル変位機構（傾斜誘導路１４０）により第２の向きに向いた状態にある前記遊技媒体（メダルＭ）を転動させながら導く流下通路１６０と、／計数する計数手段（メダル位置検知手段１５２におけるセンサ及び第２の計数装置１９５）と、／を備えるメダル計数機５０であり、特に、前記第１の向きとは、前記遊技媒体（メダルＭ）が横倒された状態であり、／前記第２の向きとは、前記遊技媒体（メダルＭ）が縦立された状態であり、／前記メダル変位機構（傾斜誘導路１４０）は、前記搬送手段により搬送され横倒状態にある前記遊技媒体（メダルＭ）をその自重により滑らせて縦立状態にするという技術的思想である。
【００６１】
本実施の形態では、計数開始／終了ボタン２５（図１参照）が押されると、制御部６０の制御によって搬送装置１２０が駆動し、メダルＭが傾斜誘導路１４０に搬送され、向きが変えられて、流下通路１６０に入り込み、流下通路１６０を流下する。メダルＭは、流下通路１６０を流下してメダル排除機構１８０を通過し、第２の計数装置１９５に到達して、この第２の計数装置１９５により計数される。ここで、計数手段（第２の計数装置１９５）が、計数ユニット１００においてメダル変位機構（傾斜誘導路１４０）よりも奥側に配置され、計数手段（第２の計数装置１９５）での遊技媒体（メダルＭ等）の不正なカウントを行うための道具が計数手段（第２の計数装置１９５）まで届かない。したがって、遊技場内に設けられ遊技機（スロットマシン等）に用いられる遊技媒体（メダルＭ等）の計数を行うメダル計数機にて、不正行為の防止を簡易な構造で実現できる。さらに、遊技媒体（メダルＭ）の向きの変換を遊技媒体（メダルＭ）自身の重さによって滑らせて実現しており、向き変換のための特段の機構を設けておらず、遊技媒体（メダルＭ）による詰まりが生じにくい。
【００６２】
別の実施の形態を、図１７ないし図２０に基づいて説明する。説明の便宜上、本実施の形態を第二の実施の形態と呼ぶ。本実施の形態で説明するのは、第一の実施の形態のメダル計数機５０を前提とするものであって、ハウジング５１は、その正面から見て横方向に拡縮自在であり、／前記計数ユニット１００は、前記ハウジング５１内に、その正面から見て横方向に複数横並びで配置されるものである。
【００６３】
以下、詳細に述べる。図１７は、ハウジング５１が広げられた状態でのメダル計数機５０の斜視図である。図１８は、ハウジング５１が狭められた状態でのメダル計数機５０の底面図である。図１９は、ハウジング５１が広げられた状態でのメダル計数機５０の底面図である。図２０は、ハウジング５１が狭められた状態での図１８のＥ−Ｅ線端面図である。メダル計数機５０のハウジング５１は、その左方を構成する左部分５１Ｌと、その右方を構成する右部分５１Ｒとを有する。左部分５１Ｌ及び右部分５１Ｒのいずれの底部にも、脚部５１Ａが設けられていて、ハウジング５１の底面はメダル計数機５０の載置面から離れるようになっている。左部分５１Ｌの底部には、左右方向に延びる長孔状のスライド調整部５１Ｃが設けられる。スライド調整部５１Ｃには、左右方向に延びるボルト孔５１Ｂが形成される。ボルト孔５１Ｂには、ボルトナット５１Ｄが挿入され、このボルトナット５１Ｄが左部分５１Ｌと右部分５１Ｒとを強固に挟み込むことにより、左部分５１Ｌと右部分５１Ｒとの位置固定が実現する。
【００６４】
図１７に示すように、拡張されたハウジング５１に対し、蓋材５２で覆うことができない領域を別の開口を有した小蓋材５２Ａで覆うことができる。また、拡張されることによってハウジング５１内に設けられた空間に、別の計数ユニット１００を設置することができる。また、蓋材５２に、ハウジング５１の横幅に合わせたものを用いても良い。前カバー５２Ｆについては、ハウジング５１の横幅に合わせたものを用いても良いし、横方向に拡大縮小できるものを用いても良い。
【００６５】
本実施の形態によれば、さらに、ハウジング５１の幅を、スロット島の形状やスロットマシンの配置間隔により設けられるメダル計数機５０の設置スペースに対応させることができる。また、メダル計数機５０の内部に五台以上の計数ユニット１００を配置して、メダル計数機５０でのメダルＭの処理能力を高めることができる。
【００６６】
別の実施の形態を、図２１及び図２２に基づいて説明する。説明の便宜上、本実施の形態を第三の実施の形態と呼ぶ。本実施の形態で説明するのは、第一の実施の形態のメダル計数機５０や第二の実施の形態のメダル計数機５０を前提とするものであって、前記計数ユニット１００には、前記計数ユニット１００から遊技媒体（メダルＭ）を排出するための遊技媒体排出部（メダル排出部４０）が設けられ、／前記計数ユニット１００に投入された遊技媒体（メダルＭ）を第１所定枚数だけ差し引いて前記遊技媒体排出部（メダル排出部４０）に返却する簡易モードにモード切替可能であるものであり、特に、前記計数ユニット１００は、複数設けられ、／前記簡易モード下では、前記複数の計数ユニット１００に投入された遊技媒体（メダルＭ）の合計枚数が前記第１所定枚数に達したと判定した場合に、前記遊技媒体排出部（メダル排出部４０）に遊技媒体（メダルＭ）を返却するものである。
【００６７】
さらに、本実施の形態のメダル計数機５０は、前記遊技媒体排出部（メダル排出部４０）は、前記ハウジング５１の正面側に位置付けられ、／前記第１、及び第２の計数手段（メダル位置検知手段１５２におけるセンサ及び第２の計数装置１９５）と遊技媒体（メダルＭ）が流下する流下路（流下通路１６０）を更に備え、／前記流下路（流下通路１６０）から分岐し前記遊技媒体排出部（メダル排出部４０）に繋がる排出用通路（傾斜通路１９０）を更に備え、／前記流下路（流下通路１６０）で流下する遊技媒体（メダルＭ）の行き先を、前記第２の計数手段（第２の計数装置１９５）と前記遊技媒体排出部（メダル排出部４０）とのいずれかに設定でき、遊技媒体（メダルＭ）を返却しない場合に前記遊技媒体（メダルＭ）の行き先を前記第２の計数手段（第２の計数装置１９５）とし、遊技媒体（メダルＭ）を返却する場合に前記遊技媒体（メダルＭ）の行き先を前記遊技媒体排出部（メダルＭ）とする返却手段（メダル排除機構１８０）を更に備え、／前記簡易モード下では、前記複数の計数ユニット１００に投入された遊技媒体（メダルＭ）の合計枚数が、前記第１の計数手段（メダル位置検知手段１５２におけるセンサ）において前記第１所定枚数に達したと判定した場合に、前記返却手段（メダル排除機構１８０）を駆動して前記遊技媒体排出部（メダル排出部４０）に遊技媒体（メダルＭ）を返却するようにしたものである。
【００６８】
さらに、本実施の形態のメダル計数機５０は、前記簡易モード下では、前記複数の計数ユニット１００に投入された遊技媒体（メダルＭ）の合計枚数が、前記第１の計数手段（メダル位置検知手段１５２におけるセンサ）において前記第１所定枚数に達したと判定した場合に前記返却手段（メダル排除機構１８０）を作動して、前記遊技媒体（メダルＭ）の行き先を前記遊技媒体排出部（メダル排出部４０）とするようにしたものである。
【００６９】
さらに、本実施の形態のメダル計数機５０は、前記簡易モード下では、前記複数の計数ユニット１００に投入された遊技媒体（メダルＭ）の合計枚数が、前記第１の計数手段（メダル位置検知手段１５２におけるセンサ）において前記第１所定枚数よりも少ない第２所定枚数に達したと判定した時点から遊技媒体（メダルＭ）の前記第２の計数手段（第２の計数装置１９５）への流下を制限し、その後に遊技媒体（メダルＭ）の計数が前記第１所定枚数に達した際に前記返却手段（メダル排除機構１８０）を作動し、前記遊技媒体（メダルＭ）の行き先を前記遊技媒体排出部（メダル排出部４０）とするようにしたものである。
【００７０】
さらに、本実施の形態のメダル計数機５０は、前記簡易モード下では、遊技媒体（メダルＭ）の流下を制限する手法として、前記複数の計数ユニット１００に投入された遊技媒体（メダルＭ）の合計枚数が、前記第１の計数手段（メダル位置検知手段１５２におけるセンサ）において前記第１所定枚数よりも少ない第２所定枚数に達したと判定した場合に前記搬送手段（搬送装置１２０）による前記遊技媒体（メダルＭ）の搬送スピードを低下させることを行うようにしたものである。
【００７１】
以下、詳細に述べる。図２１は、表示パネル２１の表示内容を示す模式図である。表示パネル２１には、「タバコと交換」と書かれた簡易モード切替アイコン２１Ｂが表示される。操作者がタッチパネルセンサ２１Ａにおける簡易モード切替アイコン２１Ｂに対応した部分をタッチ指定することで、簡易モードのオン／オフが切り替えられる。簡易モードがオンになると、簡易モード切替アイコン２１Ｂの白黒階調が反転する。なお、簡易モードのオン／オフの切り替えは、ハウジング５１に設けられたハードウェアボタン（図示せず）を用いても良い。また、「タバコ」は、遊技場で従業員が不在のときでも遊技客が交換できる簡易な景品（最小景品）の一例に過ぎない。
【００７２】
図２２は、制御部６０が行う処理の流れを示すフローチャートである。操作者（遊技客）は、複数の計数ユニット１００のメダル投入部３０にメダルＭを投入した上で、計数開始／終了ボタン２５（図１参照）を押す。制御部６０は、複数の処理を切り替えてマルチタスクとして並行して進めており、ステップＳ４０１の処理もその複数の処理のうちの一つとして行っている。制御部６０は、計数開始／終了ボタン２５が押されていないと判定した場合（ステップＳ４０１のＮｏ）、図２２に示す処理から復帰（リターン）し他の処理を進める。他方、制御部６０は、計数開始／終了ボタン２５が押されると（ステップＳ４０１のＹｅｓ）、制御部６０の制御によって搬送装置１２０が駆動し、メダルＭが傾斜誘導路１４０に搬送され、向きが変えられて、流下通路１６０に入り込み、流下通路１６０を流下する。また、制御部６０は、ステップＳ４０１に続いて、メダル計数機５０がオンであるかどうかを判定する（ステップＳ４０１Ａ）。メダル計数機５０がオンであると判定した場合（ステップＳ４０１ＡのＹｅｓ）、制御部６０は、複数の計数ユニット１００に投入されたメダルＭの合計枚数が、第１所定枚数ｍよりも少ない第２所定枚数ｎに達したかどうかを判定しつつメダル排除機構１８０を順次駆動する処理を行う（ステップＳ４０２）。ここで、複数の計数ユニット１００に投入されたメダルＭの合計枚数とは、複数の計数ユニット１００のそれぞれに備わる第１の計数装置（メダル位置検知手段１５２におけるセンサ）から制御部６０に入力された電気信号を受けて制御部６０に記憶されるメダルＭの計数である。制御部６０は、簡易モードがオンであるかオフであるかを問わず、複数の計数ユニット１００に投入されたメダルＭの合計枚数を記憶する。また、第１所定枚数ｍとは、タバコ（最小景品）を獲得するために必要なメダルＭの枚数である。このステップＳ４０２に示す処理は、例えば、次の段落以降で述べる方法で行われる。
【００７３】
メダル計数機５０内に設けられる計数ユニット１００の台数をＸとする（本実施の形態ではＸ＝５である。また、別の一例として、Ｘ＝６の場合もある）。この場合、流下通路１６０の本数は２Ｘとなる。制御部６０は、複数の計数ユニット１００に投入されたメダルＭの合計枚数が｛ｍ−（２Ｘ−１）｝枚、｛ｍ−（２Ｘ−２）｝枚、｛ｍ−（２Ｘ−３）｝枚、…、｛ｍ−１｝枚、ｍ枚に達した際に、割り込みイベントを発生させる。このイベントは、２Ｘ回発生することになる。例を挙げると、Ｘ＝６の場合には、割り込みイベントは、複数の計数ユニット１００に投入されたメダルＭの合計枚数が｛ｍ−１１｝枚、｛ｍ−１０｝枚、…、｛ｍ−１｝枚、ｍ枚に達した際に発生する。ここで、上述の第２所定枚数ｎとは、この場合、ｍ−（２Ｘ−１）である。なお、第２所定枚数ｎとは、制御部６０に記憶されたメダルＭの合計枚数が第１所定枚数ｍに達する直前に複数の計数ユニット１００で一斉にメダルＭが計数され、その結果としてメダルＭの合計枚数が第１所定枚数ｍを越えてしまうことを防ぐために予備的に設定される値であり、好ましくはｎ＝ｍ−（２Ｘ−１）である。なお、ｎは、ｍ−（２Ｘ−１）より大きくても良いし、小さくてもよい。
【００７４】
制御部６０は、このような割り込みイベントが発生するたびに、２Ｘだけある流下通路１６０のうち一つについてメダル排除機構１８０を駆動させ、流下通路１６０を流下するメダルＭが傾斜通路１９０に排除されるようにする。ここで、制御部６０は、割り込みイベントが発生すると同時にメダル排除機構１８０を駆動させてもよいし、割り込みイベントが発生してから所定時間後にメダル排除機構１８０を駆動させてもよい。最終的に、制御部６０は、複数の計数ユニット１００に投入されたメダルＭの合計枚数がｍ枚に達した時点で、全ての流下通路１６０についてメダル排除機構１８０を駆動して、メダルＭがどの流下通路１６０を流下したとしても傾斜通路１９０に向けて排除されるようにする。これにより、複数の計数ユニット１００に投入されたメダルＭの合計枚数が｛ｍ−（２Ｘ−１）｝枚、即ち、第２所定枚数ｎに達した時点で、搬送装置１２０によるメダルＭの搬送スピードを低下させて、傾斜誘導路１４０に多量のメダルＭが入り込まないようにしてもよい。
【００７５】
制御部６０は、ステップＳ４０２の処理で、複数の計数ユニット１００に投入されたメダルＭの合計枚数が、第１所定枚数ｍに達したと判定した場合、直ちに若しくは所定時間経過後に搬送装置１２０を停止し、メダル排除機構１８０を停止する。このとき、遮断部材作動機構１３２（図７参照）を駆動して遮断部材１３３（図７参照）を下降させ傾斜誘導路１４０へのメダルＭの進入を防ぐようにしてもよい。遮断部材１３３の下降による傾斜誘導路１４０へのメダルＭの進入防止は、上記割り込みイベントが発生するときにメダル排除機構１８０を駆動させた計数ユニット１００で行われてもよい。ステップＳ４０２の処理後、制御部６０は、図２２に示す処理から復帰（リターン）し他の処理を進める。
【００７６】
本実施の形態によれば、さらに、従業員の立会下においてのみメダル計数機の使用を許可する遊技場においても、従業員不在の状況下でも遊技客が獲得できる景品（最小景品）であれば、遊技客の操作によってメダルＭの計上ができ、ハウジング５１の幅を、スロット島の形状やスロットマシンの配置間隔により設けられるメダル計数機５０の設置スペースに対応させることができる。また、メダル計数機５０の内部に五台以上（本実施の形態の場合。六台やそれ以上であってもよいし、四台以下でも良い）の計数ユニット１００を配置して、メダル計数機５０でのメダルＭの処理能力を高めることができる。
【００７７】
別の実施の形態を、図２３及び図２４に基づいて説明する。説明の便宜上、本実施の形態を第四の実施の形態と呼ぶ。本実施の形態で説明するのは、第一の実施の形態のメダル計数機５０や第二の実施の形態のメダル計数機５０を前提とするものであって、前記計数ユニット１００は、複数設けられ、／警告を行う警告部（例えば、表示パネル２１）を更に備え、／遊技媒体（メダルＭ）の個数を前記複数の計数ユニット１００のそれぞれで別個に計上し、前記警告部（例えば、表示パネル２１）に、第３所定枚数以上計数がなされた前記計数ユニット１００についての警告を行わせるものである。
【００７８】
以下、詳細に述べる。図２３は、制御部６０が行う処理の流れを示すフローチャートである。制御部６０は、複数の計数ユニット１００に投入されたメダルＭの枚数を、複数の計数ユニット１００のそれぞれに備わる第２の計数装置１９５からの電気信号を別々に計上することで、計数ユニット１００別に計数して記憶している。ここで、制御部６０は、複数の処理を切り替えてマルチタスクとして並行して進めており、ステップＳ５０１の処理もその複数の処理のうちの一つとして行っている。制御部６０は、メダル計数機５０が起動している間、ｉ番目の計数ユニット１００（但し、ｉは、メダル計数機５０に備わる計数ユニット１００の台数としたｉ≦ｊなる正の整数値であり、ｉの初期値は１である）でのメダルＭの計上枚数が第３所定枚数ｐ以上であるかどうかを判定する（ステップＳ５０１）。ここで、第３所定枚数ｐとは、計数ユニット１００において流下通路１６０等の汚れや各部の金属疲労があらわれはじめるメダルＭの投入枚数であって、経験的に設定される値である。第３所定枚数ｐ以上でないと判定した場合（ステップＳ５０１のＮｏ）、制御部６０は、ｉの値を１増加させ（ステップＳ５０２）、ｉがｊを超えたと判定した場合にはｉの値を初期値（例えば、ｉ＝１）に戻し（ステップＳ５０３のＹｅｓ、ステップＳ５０５）、その上で図２３に示す処理から復帰（リターン）し他の処理を進める。他方、制御部６０は、ステップＳ５０３の判定処理においてｉがｊを超えていないと判定した場合（ステップＳ５０３のＮｏ）、ｉの値を変えること無く図２３に示す処理から復帰（リターン）し他の処理を進める。制御部６０が図２３に示す処理を再び開始する際には、ステップＳ５０３やステップＳ５０５の処理を経て設定されたｉの値が用いられることになる。なお本実施例の様に、１なる計数ユニット１００に２本の流下通路１６０及びそれぞれに第２の計数装置１９５を設ける場合は、ｉを第２の計数装置１９５毎に設定してもよい。
【００７９】
図２４は、警告処理の一例を示す模式図である。制御部６０は、ステップＳ５０１の処理において、ｉ番目の計数ユニット１００でのメダルＭの計上枚数が第３所定枚数ｐ以上であると判定した場合（ステップＳ５０１）、警告処理を行う（ステップＳ５０４）。警告処理とは、例えば、警告部としての表示パネル２１に、第３所定枚数ｐ以上計数がなされたｉ番目の計数ユニット１００についての警告表示２１Ｃをするものである。警告表示２１Ｃの一例は、「ｉ番目のユニットのメンテナンス時期です」という文字列である。なお、別の例として、制御部６０は、警告処理として、メダル計数機５０に備わる警音器（図示せず）に警告音を発せさせても良い。
【００８０】
本実施の形態によれば、さらに、従業員は、メダル計数機５０に設置される複数の計数ユニット１００のいずれかに生じている不具合を早期に把握でき、部品の交換やレーンの清掃、金属疲労への対応などを早急に行うことができる。
【００８１】
別の実施の形態を、図２５、図２６及び図２７に基づいて説明する。説明の便宜上、本実施の形態を第五の実施の形態と呼ぶ。本実施の形態で説明するのは、第一の実施の形態のメダル計数機５０や第二の実施の形態のメダル計数機５０を前提とするものであって、前記計数ユニット１００には、前記計数ユニット１００から遊技媒体（メダルＭ）を排出するための遊技媒体排出部（メダル排出部４０）及び複数の種類別排出部（回収路７０Ａ、回収路７０Ｂ）が設けられ、／前記計数ユニット１００において前記第２の計数手段（第２の計数装置１９５）よりも上流側に配置され、前記遊技媒体投入部（メダル投入部３０）から投入された遊技媒体（メダルＭ）の種別及び使用可否を識別する識別部（メダル識別手段１５０）を更に備え、／前記識別部（メダル識別手段１５０）により識別された前記遊技媒体（メダルＭ）が使用不可なものである場合にその遊技媒体（メダルＭ）を前記遊技媒体排出部（メダル排出部４０）に排出し、前記識別部（メダル識別手段１５０）により識別された前記遊技媒体（メダルＭ）が使用可能なものである場合にその遊技媒体（メダルＭ）をその種類に応じた前記種類別排出部（回収路７０Ａ、回収路７０Ｂ）に排出するものである。
【００８２】
以下、詳細に述べる。図２５は、計数ユニット１００の側面図である。図２６は、種別振分部７０Ｃの平面図である。回収路７０Ａからは、別の回収路７０Ｂが分岐する。回収路７０Ａも回収路７０Ｂも、その底面は凹型をなし且つその両側面は平板で構成されており、メダルＭは回収路７０Ａや回収路７０Ｂの内部を流下できるようになっている。回収路７０Ｂの上流端には、メダルＭを振り分ける種別振分部７０Ｃが設けられる。種別振分部７０Ｃは、メダルＭを案内するフラップ７０Ｅと、フラップ７０Ｅの上流端が揺動するようにフラップ７０Ｅの下流端を保持する保持軸７０Ｄと、フラップ７０Ｅを揺動させる駆動源（図示せず）とを有する。駆動源の一例は、ソレノイドである。フラップ７０Ｅは、駆動源の駆動に応じて、メダルＭを回収路７０Ａに沿って流下させる第１位置７０Ｆと、メダルＭを回収路７０Ａから回収路７０Ｂに導く第２位置７０Ｇとの間を移動する。回収路７０Ａは、スロット島に設けられる搬送コンベア（図示せず）に繋がる。回収路７０Ｂは、メダル計数機５０内に設けられるメダル貯留部（図示せず）に繋がる。
【００８３】
図２７は、制御部６０が行う処理の流れを示すフローチャートである。本実施の形態では、制御部６０は、制御部６０のＣＰＵ自身で行う内部タイマ割込処理により、割り込みイベントとして処理を開始する。この処理の開始タイミングは、計数ユニット１００内にある現在のメダルＭの位置と搬送装置１２０の搬送ベルト１２２の搬送速度とに基づいて正しい撮像が行われるよう適宜補正される。撮像後（ステップＳ３３０）、制御部６０は、新たな画像が得られたかどうかを判定し（ステップＳ３３１）、新たな画像が得られたと判定した場合には処理をステップＳ３０２に進め（ステップＳ３３１のＹｅｓ）、新たな画像が得られなかった場合には処理をリターンする（ステップＳ３３１のＮｏ）。なお、ここに述べた処理の開始タイミング、並びに、ステップＳ３３０及びステップＳ３３１の処理は、他の実施の形態において、ステップＳ３００及びステップＳ３０１の代わりになされてもよい。制御部６０は、ステップＳ３３１の判定処理において、新たな画像が得られたと判定した場合（ステップＳ３３１のＮｏ）、図２７に示す処理から復帰（リターン）し他の処理を進める。
【００８４】
画像処理（ステップＳ３０２）後、ステップＳ３０３（メダルＭが使用できるものであるか否かを判定する処理）の判定でメダルＭが使用できるメダルであると判定した場合（ステップＳ３０３のＹｅｓ）、メダルＭが第１種（例えば、５円メダル）であるかどうかを判定する（ステップＳ３２１）。制御部６０は、メダルＭが第１種であると判定した場合（ステップＳ３２１のＹｅｓ）、種別振分部７０Ｃのフラップ７０Ｅが第１位置７０Ｆに位置付けられるよう種別振分部７０Ｃの駆動源（図示せず）を駆動する（ステップＳ３２２）。また、制御部６０は、メダルＭが第１種ではない（第２種、例えば、２０円メダル）と判定した場合（ステップＳ３２１のＮｏ）、種別振分部７０Ｃのフラップ７０Ｅが第２位置７０Ｇに位置付けられるよう種別振分部７０Ｃの駆動源（図示せず）を駆動する（ステップＳ３２３）。なお、本実施の形態においては、制御部６０は、ステップＳ３０３において、第１種及び第２種のいずれでもない種類のメダルＭを使用不可のメダルとして判定する。この処理により、第１種のメダルＭは回収路７０Ａを通ってスロット島に設けられる搬送コンベア（図示せず）に到達し、第２種のメダルＭは７０Ｂを通ってメダル計数機５０内に設けられるメダル貯留部（図示せず）に到達し、第１種及び第２種のいずれでもない種類のメダルＭは、第２の計数装置１９５に計数される前にメダル排除機構１８０によって傾斜通路１９０に排除されメダル排出部４０に到達する。制御部６０は、ステップＳ３２２やステップＳ３２３の処理を終えた後、図２７に示す処理から復帰（リターン）し他の処理を進める。
【００８５】
本実施の形態によれば、メダル計数機５０がメダルＭを複数種取り扱うことのできる場合に、メダルＭを種類別に振り分けることができ、かつ、使用不可のメダルＭをメダル排出部４０から排出することができる。
【００８６】
別の実施の形態を、図１に基づいて説明する。説明の便宜上、本実施の形態を第六の実施の形態と呼ぶ。本実施の形態で説明するのは、第一の実施の形態のメダル計数機５０や第二の実施の形態のメダル計数機５０を前提とするものであって、前記遊技媒体投入部（メダル投入部３０）を構成する複数の側面のうち、正面側から見て右側の側面５１Ｅが他に比べて背高に設けられるものである。
【００８７】
本実施の形態によれば、さらに、遊技者が複数のメダル投入部３０の上方からメダルＭを手放しても、少なくともいずれかのメダル投入部３０に入り込み、右側の側面５１Ｅを乗り越えてメダル計数機５０の外側に落下することはない。遊技者の多くが右利きであって、右手を用いてメダルＭの投入が多く行われているという実情から、本実施の形態は従来技術と比べて有利である。
【００８８】
別の実施の形態を、図２８及び図２９に基づいて説明する。説明の便宜上、本実施の形態を第七の実施の形態と呼ぶ。本実施の形態で説明するのは、第一の実施の形態のメダル計数機５０や第二の実施の形態のメダル計数機５０を前提とするものであって、前記計数ユニット１００は、複数設けられ、／警告を行う警告部（例えば、表示パネル２１）を更に備え、所定の前記計数ユニット１００について前記第２の計数手段（第２の計数装置１９５）まで前記遊技媒体（メダルＭ）が到達できないようにした状態下で当該計数手段（第２の計数装置１９５）での前記遊技媒体（メダルＭ）の計上を判定した場合、前記警告部（例えば、表示パネル２１）に警告を行わせるものである。
【００８９】
以下、詳細に述べる。図２８は、制御部６０が行う処理の流れを示すフローチャートである。本実施の形態では、メダル計数機５０に備わる複数の計数ユニット１００のうち、全てではない幾つかの計数ユニット１００について、メダルＭが第２の計数装置１９５に到達しないよう予め設定されていることを前提とする。ここでいう「メダルＭが第２の計数装置１９５に到達しないよう予め設定されている」とは、一例として、搬送装置１２０（図７等参照）が駆動されていない状態、遮断部材１３３（図７参照）が下降してメダル収容筐体１１０内のメダルＭが傾斜誘導路１４０に到達できない状態、メダル排除機構１８０が駆動して流下通路１６０を流下するメダルＭが傾斜通路１９０に排除される状態等をいう。
【００９０】
制御部６０は、複数の処理を切り替えてマルチタスクとして並行して進めており、ステップＳ７０１の処理もその複数の処理のうちの一つとして行っている。制御部６０は、上記の理由等によりメダルＭが到達することができず計数が行われるべきではない第２の計数装置１９５においてメダルＭの計数がなされたことを判定した場合（ステップＳ７０１のＹｅｓ）、警告処理（ステップＳ７０２）を行い、その後に図２８に示す処理から復帰（リターン）し他の処理を進める。他方、制御部６０は、メダルＭが到達することができず計数が行われるべきではない第２の計数装置１９５においてメダルＭの計数がなされていないと判定した場合（ステップＳ７０１のＮｏ）、警告処理（ステップＳ７０２）を行わずに図２８に示す処理から復帰（リターン）し他の処理を進める。
【００９１】
図２９は、警告処理の一例を示す模式図である。制御部６０は、ステップＳ７０２で行う警告処理として、例えば、警告部としての表示パネル２１に、警告内容を示す警告表示２１Ｄを表示する。警告表示２１Ｄの一例は、「係員が来るまでお待ちください」という文字列である。なお、別の例として、制御部６０は、警告処理として、メダル計数機５０に備わる警音器（図示せず）に警告音を発しさせても良い。
【００９２】
本実施の形態によれば、遊技媒体（メダルＭ等）の不正なカウントを行うための道具がメダル投入部３０やメダル排出部４０から挿入され第２の計数装置１９５にセンシングされる等の不正行為を防ぐことができる。また、例えば、全ての計数ユニット１００において、本実施の形態を行うことにより、従業員の立会下においてのみメダル計数機の使用を許可する遊技場において、遊技客が従業員の立会いが無い状況で計数を行う事を防ぐ事が出来る。
【００９３】
別の実施の形態を、図３０及び図３１に基づいて説明する。説明の便宜上、本実施の形態を第八の実施の形態と呼ぶ。本実施の形態で説明するのは、第一の実施の形態のメダル計数機５０や第二の実施の形態のメダル計数機５０を前提とするものであって、前記計数ユニット１００には、前記計数ユニット１００から遊技媒体（メダルＭ）を排出するための遊技媒体排出部（メダル排出部４０）が設けられ、／前記メダル変位機構（傾斜誘導路１４０）と前記第２の計数手段（第２の計数装置１９５）とを連絡し遊技媒体（メダルＭ）が流下する流下路（流下通路１６０）を更に備え、／前記流下路（流下通路１６０）から分岐し前記遊技媒体排出部（メダル排出部４０）に繋がる排出用通路（傾斜通路１９０）を更に備え、／前記流下路（流下通路１６０）で流下する遊技媒体（メダルＭ）の行き先を、前記第２の計数手段（第２の計数装置１９５）と前記遊技媒体排出部（メダル排出部４０）とのいずれかに設定でき、遊技媒体（メダルＭ）を返却しない場合に前記遊技媒体（メダルＭ）の行き先を前記第２の計数手段（第２の計数装置１９５）とし、遊技媒体（メダルＭ）を返却する場合に前記遊技媒体（メダルＭ）の行き先を前記遊技媒体排出部（メダル排出部４０）とする返却手段（メダル排除機構１８０）を更に備え、／特権指示の入力に応じて、前記遊技媒体（メダルＭ）の行き先を前記遊技媒体排出部（メダル排出部４０）とし且つ前記搬送手段（搬送装置１２０）を停止状態とする不使用モードと、前記遊技媒体（メダルＭ）の行き先を前記第２の計数手段（第２の計数装置１９５）とし且つ前記搬送手段（搬送装置１２０）を駆動状態とする通常モードとのモード切替を行うものである。
【００９４】
以下、詳細に述べる。図３０は、制御部６０が行う処理の流れを示すフローチャートである。制御部６０は、特権指示の入力を待機している（ステップＳ８０１のＮｏ）。ここで、特権指示とは、遊技場の従業員等の特別な操作権限を持つ者だけが入力可能なものである。一例として、特権指示は、遊技場内に配置されメダル計数機５０と有線又は無線で接続されデータ通信可能な管理装置（図示せず）から電気信号の態様で制御部６０に入力される。また、特権指示は、タッチパネルセンサ２１Ａにおける表示パネル２１に表示されたテンキー（図示せず）に対応する部分をタッチ操作してパスワードを入力することによっても入力されてもよいし、従業員の所有する従業員識別用ＩＣカードをカード処理機２８に読み取らせてもよい。制御部６０は、複数の処理を切り替えてマルチタスクとして並行して進めており、ステップＳ８０１の処理もその複数の処理のうちの一つとして行っている。
【００９５】
制御部６０は、制御部６０は、特権指示の入力がないと判定した場合（ステップＳ８０１のＮｏ）、図３０に示す処理から復帰（リターン）し他の処理を進める。他方、制御部６０は、特権指示の入力があると判定した場合（ステップＳ８０１のＹｅｓ）、通常モードと不使用モードとのモード切替を行い、その後に図３０に示す処理から復帰（リターン）し他の処理を進める。
【００９６】
メダル計数機５０は、予め、電源投入直後の待機状態では、通常モードに設定されていても不使用モードに設定されていてもよい。また、別の一例として、従業員は、遊技店の開店直後の遊技客の少ない時間帯にメダル計数機５０の待機状態を通常モードから不使用モードにモード切替するようにしてもよい。別の一例として、従業員は、遊技店の閉店間際の計数を行う遊技客の多い時間帯にメダル計数機５０の待機状態を不使用モードから通常モードにモード切替するようにしてもよい。
【００９７】
図３１は、制御部６０が行う処理の流れを示すフローチャートである。制御部６０は、通常モードと不使用モードとの切替があるまで処理を待機する（ステップＳ８５１のＮｏ、ステップＳ８５２のＮｏ）。
【００９８】
通常モードから不使用モードへのモード切替をした場合（ステップＳ８５１のＹｅｓ）、制御部６０は、使用不可能化処理を行う（ステップＳ８５３）。制御部６０は、使用不可能化処理として、搬送装置１２０（図７等参照）を停止する処理、遮断部材１３３（図７参照）が下降させてメダル収容筐体１１０内のメダルＭが傾斜誘導路１４０に到達できなくする処理、及び、メダル排除機構１８０を駆動して流下通路１６０を流下するメダルＭを傾斜通路１９０に排除されるようにする処理の少なくともいずれか、好ましくはこれら全てを行う。
【００９９】
不使用モードから通常モードへのモード切替をした場合（ステップＳ８５２のＹｅｓ）、制御部６０は、使用可能化処理を行う（ステップＳ８５４）。制御部６０は、使用可能化処理として、搬送装置１２０（図７等参照）の駆動を再開する処理、遮断部材１３３（図７参照）を上昇させてメダル収容筐体１１０内のメダルＭが傾斜誘導路１４０に到達できるようにする処理、及び、メダル排除機構１８０を駆動して流下通路１６０を流下するメダルＭが傾斜通路１９０に排除されないようにする処理を行う。これにより、メダルＭは、傾斜通路１９０により排除されることなく流下通路１６０を通過して第２の計数装置１９５に計数されることになる。ここに、制御部６０が行うステップＳ８５２及びステップＳ８５４の処理は、メダルの計数を許可する計数許可入力手段を構成する。
【０１００】
制御部６０は、使用不可能化処理（ステップＳ８５３）や使用可能化処理（ステップＳ８５４）の処理を終えた後、図３１に示す処理から復帰（リターン）し他の処理を進める。
【０１０１】
本実施の形態によれば、従業員の立会下においてのみメダル計数機の使用を許可する遊技場において、遊技客が従業員の立会いが無い状況で計数を行う事を防ぐ事が出来、従って、従業員不在時において、遊技媒体（メダルＭ等）の不正なカウントを行うための道具がメダル投入部３０やメダル排出部４０から挿入され第２の計数装置１９５にセンシングされる等の不正行為を防ぐことができる。
【０１０２】
なお、メダル計数機５０の電源をオフとする際に、メダル計数機５０を不使用モードに移行して、遮断部材１３３の下降と、流下通路１６０を流下するメダルＭを傾斜通路１９０に排除されるようにするためのメダル排除機構１８０の駆動処理の少なくともいずれか（好ましくはこれら全て）を行うようにし、その後に給電が途絶えるようにしてもよい。また、メダル計数機５０の電源がオンになったときに、メダル計数機５０が不使用モードであるようにしてもよい。また、メダル識別手段１５０によるメダルＭの識別にて、メダルＭが使用できないものであると判定した場合に、メダル計数機５０を不使用モードに移行するようにしてもよい。
【０１０３】
別の実施の形態を、図３２に基づいて説明する。説明の便宜上、本実施の形態を第九の実施の形態と呼ぶ。本実施の形態で説明するのは、第一の実施の形態のメダル計数機５０や第二の実施の形態のメダル計数機５０を前提とするものであって、前記計数ユニット１００は、複数設けられ、／前記複数の計数ユニット１００のそれぞれに設けられる前記遊技媒体投入部（メダル投入部３０）を個別に閉じることが可能な蓋部（蓋材５２）を更に備えるものである。
【０１０４】
以下、詳細に述べる。図３２は、蓋材５２の斜視図である。本実施の形態では、蓋材５２は、開口付小蓋材５２Ｍと開口無小蓋材５２Ｎとを複数横並びさせて構成される。個々の開口付小蓋材５２Ｍ及び開口無小蓋材５２Ｎは、個々の計数ユニット１００のカバー体１１１の一つに対応した縦長の形状をなしている。開口付小蓋材５２Ｍは、平坦部５２Ｈと傾斜部５２Ｊと開口部５２Ｋと壁部５２Ｌとを有している。開口無小蓋材５２Ｎは、開口部５２Ｋを有しておらず、計数ユニット１００のカバー体１１１の一つを閉じるように天板５２Ｐに覆われている。
【０１０５】
本実施の形態によれば、メダル計数機５０に設けられる五つのメダル投入部３０を個別に閉じることができ、メダル計数機５０を、最小景品の交換等の用途で遊技客にメダル計数機５０を操作させる等の用途に使用することが容易となる。
【０１０６】
なお、本発明には、以下のものが含まれる。
【０１０７】
［付加請求項１］
受け入れたメダルを１枚毎に整列させるメダル整列部と、
前記メダル整列部によって整列させたメダルを略縦立状態に変位させるメダル変位機構と、
前記メダル変位機構によって略縦立状態に変位させたメダルを転動させながら奥側に導く流下通路と、
前記メダル整列部から前記流下通路の下流端迄の間に１乃至複数配置され、メダルを計数する計数手段と、
で構成される計数ユニットを横並びに複数配置し、受け入れたメダルを各計数ユニットに分配可能に構成することを特徴とするメダル計数機。
【０１０８】
ここで、計数ユニットを構成しているメダル整列部とメダル変位機構と流下通路と計数手段とは、夫々別体部品で構成されてもよいし、組み付けて一体にされてもよい。
【０１０９】
付加請求項１記載のメダル計数機によれば、計数ユニットに受け入れられたメダルは、メダル整列部によって１枚毎に整列され、その後、メダル変位機構によって略縦立状態に変位され、その後、流下通路によって転動しながら奥側に導かれる。メダルは、メダル整列部から流下通路の下流端迄の間に、計数手段により計数される。メダル計数機では、このような計数ユニットが横並びに複数配置され、メダルを各計数ユニットに分配できるようになっている。したがって、安価な構成で、大量のメダルを計数可能とするとともに、極力メンテナンス省力化と省スペース化とが実現される。
【０１１０】
［付加請求項２］
前記メダル計数機は、遊技場内で遊技機を列設されてなる遊技機島の島端に配備可能であり、遊技者側から投入されたメダルを受け入れて計数し、島側である奥側に向かって導くものであり、
前記メダル整列部は、遊技者側から受け入れたメダルを整列させて、横倒させた状態で前記奥側に搬送する搬送手段で構成され、
前記メダル変位機構は、前記搬送手段によって搬送されるメダルを、該メダルの進行方向に対して垂直な左右の少なくとも一方の方向に前記メダルを滑落流下させて縦立させる傾斜側面で構成され、
前記流下通路は、前記傾斜側面を滑落流下させて縦立させたメダルを前記計数ユニットの側面に沿って前記搬送手段による搬送方向の奥側方向に転動流下させるものであることを特徴とする付加請求項１記載のメダル計数機。
【０１１１】
ここでいう「島端」とは、遊技機島の島中央の通路側端部、または島の長手方向の通路側端部等も含む。また、ここでいう「搬送手段」とは、滑落傾斜による搬送や、ベルト搬送等を含む。
【０１１２】
付加請求項２記載のメダル計数機によれば、流下通路が計数ユニットの側面に沿って配置可能になるとともに、メダルを縦立転動させるため、流下通路が、計数ユニットを構成するメダル変位機構の幅を超えて配置されることのないコンパクトなサイズにすることができる。従って、計数ユニットを並べた場合、遊技者側からみた全体的な横幅をせまくできるとともに、横幅により多数の計数ユニットが配置できるため、計数速度を向上できる。
【０１１３】
［付加請求項３］
前記メダル変位機構は、前記搬送手段によって搬送された前記メダルの進行方向に傾斜する搬送方向傾斜面をさらに備え、前記搬送手段によって搬送された横倒させた状態のメダルが、前記搬送方向傾斜面に沿って流下することを特徴とする付加請求項２記載のメダル計数機。
【０１１４】
［付加請求項４］
前記メダル計数機は、前記複数の計数ユニットをハウジング内に配置し構成され、
前記ハウジングは、その正面から見て横方向に拡大、または／及び、縮小が可能であり、
前記ハウジング内に横並びに配置する前記計数ユニットの数量を増やす、または／及び、減らす事が可能である事を特徴とする付加請求項１から３のいずれか一に記載のメダル計数機。
【０１１５】
［付加請求項５］
前記搬送手段から前記メダル変位機構までの間に配置され、搬送されたメダルが利用可能なメダルか否かを識別するメダル識別手段と、
前記メダル識別手段から前記流下通路の終端までの間に配置され、前記メダル識別手段における識別判定に基づいて、メダルを排除するメダル排除手段と、
前記傾斜側面の下方側に配備され、前記メダル排除手段が排除したメダルを遊技者に返却するための受け部に導くメダル返却通路と、
を備える事を特徴とする付加請求項２から４のいずれか一に記載のメダル計数機。
【０１１６】
［付加請求項６］
前記メダル識別手段は、前記搬送手段から前記メダル変位機構までの間に備えられた撮像装置により前記搬送されたメダルを撮像し、当該撮像された情報に基づいて、利用可能なメダルか否かを識別する事を特徴とする付加請求項５記載のメダル計数機。
【０１１７】
［付加請求項７］
前記メダル計数手段と前記メダル識別手段とが撮像されることによってなされるか、
または、
前記メダル計数手段が、前記メダル排除手段のより上流側に配置された光学式センサまたは金属を検知する近接センサ等で構成されるメダル検知センサによって計数され、前記メダル識別手段が撮像して識別されるものであることを特徴とする付加請求項５または６記載のメダル計数機。
【０１１８】
［付加請求項８］
前記計数手段により計数されるメダルの計数値が、第１の所定数に達するまでは、メダル返却手段によって遊技者に対してメダルを返却せずにメダル計数機内部または島内に取り込み、
前記計数手段により計数されるメダルの計数値が前記第１の所定数に達した後は、メダル返却手段によってメダルが遊技者に対して返却されることを特徴とする付加請求項２記載のメダル計数機。
【０１１９】
ここで、メダル返却手段は、メダル排除手段を兼用してもよいし、別途設けられてもよい。付加請求項８記載のメダル計数機は、複数ある計数ユニット内１つのみを運用する時に適する。
【０１２０】
［付加請求項９］
前記複数の計数ユニットの内複数の計数手段により計数されるメダルの合計数が、第１の所定数に達するまでは、メダル返却手段によって遊技者に対してメダルを返却せずにメダル計数機の内部または島内に取り込み、
前記複数の計数ユニットの内複数の計数手段により計数されるメダルの合計数が前記第１の所定数に達した後は、メダル返却手段によってメダルが遊技者に対して返却されることを特徴とする付加請求項２記載のメダル計数機。
【０１２１】
ここで、メダル返却手段は、メダル排除手段を兼用してもよいし、別途設けられてもよい。付加請求項９記載のメダル計数機は、複数ある計数ユニットの内、複数乃至全数、計数させる運用時に適するものであって、全数でない複数の計数ユニット以外の稼働させないメダル計数機は蓋をして計数できない運用などが可能である。
【０１２２】
［付加請求項１０］
前記複数の計数ユニットに備える複数の搬送手段を低速に搬送させるか、または、順次搬送させることを特徴とする付加請求項９記載のメダル計数機。
【０１２３】
ここで、付加請求項１０記載のメダル計数機では、複数の計数ユニットの内複数の計数手段により計数されるメダルの合計数が、前記第１の所定数より少ない第２の所定値に達した後に低速に搬送させるか、または順次搬送させてもよいし、計数開始直後または数秒のディレー時間経過後から低速に搬送させるか、または順次搬送させてもよい。尚、全速力による計数処理は、受け付けた記憶媒体が店員のものと認証した場合に行い、低速に搬送させるか、または順次搬送させるかは、会員用記憶媒体、非会員用記憶媒体、またはメダルの投入の検知に基づき行うようにしてもよい。
【０１２４】
［付加請求項１１］
前記メダル計数機は、
前記複数の計数ユニット相互の位置を入れ替え、又各計数ユニット毎に交換可能に構成され、
警告を行う警告部を更に備え、
前記計数ユニット毎に前記メダル計数値の累計値を記憶可能であり、
前記警告部は、前記累計値に基づいて、前記計数ユニット毎の警告を行う事を特徴とする付加請求項１から１０のいずれか一に記載のメダル計数機。
【０１２５】
ここで、「累計値に基づいて警告を行う」とは、各計数ユニットの累計値の平均との比較で、累計値の最大の計数ユニットの位置に累計値が最小の計数ユニットの位置に移し、累計値が２番目に大きい計数ユニットの位置に累計値が２番目に小さい計数ユニットの位置に移す等の指示を行うこと、各計数ユニットが所定値を超えた場合に交換を行う旨の指示を行う事等が例示できる。また、他に、１つの計数ユニットのみ著しく累計値が低い場合、当該計数ユニットにおいて計数を阻害する不具合が発生している可能性があるとして警告を行う事等も加えて例示できる。なお、「メダル計数値の累計値の記憶」は、「計数ユニット毎に」行うと記載するが、例えば、前記メダル整列部により、メダルが２列に整列され、２列に整列されたメダルの列毎に計数手段が設けられている場合等は、当該計数手段毎にメダル計数値の累計値の記憶を行う事も、本発明に含まれる。
【０１２６】
［付加請求項１２］
前記メダル計数機は、更に、メダルの計数を許可する計数許可入力手段を備え、
前記メダル返却手段は、前記計数許可入力手段による許可がなされる前は、メダルを返却する状態とし、前記計数許可入力手段による許可の入力により、メダルを返却する状態から内部に取り込む状態に動作する事を特徴とする付加請求項８または９記載のメダル計数機。
【０１２７】
［付加請求項１３］
前記計数許可入力手段による許可入力が行われていない状態下において、前記計数手段によりメダルの計数が計上された場合、前記警告部に警告を行わせる付加請求項１２記載のメダル計数機。
【０１２８】
［付加請求項１４］
前記メダル返却通路は、搬送手段の搬送方向に対して略逆方向に向かい傾斜する下方傾斜面であって、
前記メダル排除手段により排除されたメダルを横倒させた状態で、前記搬送手段の搬送方向に対して略逆方向に流下させ、前記メダル受け部に導くことを特徴とする付加請求項５記載のメダル計数機。
【０１２９】
［付加請求項１５］
前記メダル排除手段は、前記流下通路の流下過程に設けられ、縦立した状態で流下しているメダルの上端部を支持する上端側支持部、及び下端部を支持する下端側支持部、を備え、
前記上端側支持部または前記下端側支持部の少なくとも一方が、メダルの流下方向に垂直な断面形状が凹状の凹状部材で形成され、メダルを排除する際、前記凹状部材をメダルを排除する方向に傾けて、前記凹状部材の一方の側壁がメダルの一方の側面を、メダルを排除する方向に押圧するとともに、前記凹状部材の他方の側壁における、メダルの他方の側面の支持を解除する事を特徴とする付加請求項５または１４記載のメダル計数機。
【０１３０】
［付加請求項１６］
前記計数手段に加えて、
流下通路の始端部から終端部の間に、第２の計数手段を備える事を特徴とする請求項１、付加請求項２から１５のいずれか一に記載のメダル計数機。
【符号の説明】
【０１３１】
２１…表示パネル（警告部）、３０…メダル投入部（遊技媒体投入部）、５０…メダル計数機（遊技媒体計数機）、５１…ハウジング、１００…計数ユニット、１２０…搬送装置（搬送手段）、１３０…ゲート部（メダル整列部）、１４０…傾斜誘導路（メダル変位機構）、１６０…流下通路、１９５…計数装置（計数手段）、Ｍ…メダル（遊技媒体）
【図１】
2013048706.tif 000003
【図２】
2013048706.tif 000004
【図３】
2013048706.tif 000005
【図４】
2013048706.tif 000006
【図５】
2013048706.tif 000007
【図６】
2013048706.tif 000008
【図７】
2013048706.tif 000009
【図８】
2013048706.tif 000010
【図９】
2013048706.tif 000011
【図１０】
2013048706.tif 000012
【図１１】
2013048706.tif 000013
【図１２】
2013048706.tif 000014
【図１３】
2013048706.tif 000015
【図１４】
2013048706.tif 000016
【図１５】
2013048706.tif 000017
【図１６】
2013048706.tif 000018
【図１７】
2013048706.tif 000019
【図１８】
2013048706.tif 000020
【図１９】
2013048706.tif 000021
【図２０】
2013048706.tif 000022
【図２１】
2013048706.tif 000023
【図２２】
2013048706.tif 000024
【図２３】
2013048706.tif 000025
【図２４】
2013048706.tif 000026
【図２５】
2013048706.tif 000027
【図２６】
2013048706.tif 000028
【図２７】
2013048706.tif 000029
【図２８】
2013048706.tif 000030
【図２９】
2013048706.tif 000031
【図３０】
2013048706.tif 000032
【図３１】
2013048706.tif 000033
【図３２】
2013048706.tif 000034